(57)【要約】【課題】植木鉢にほぼ似た形状の有底本体からなり、その周壁上部側面部に少なくとも１つの切欠き開口部が設けられた型式のこんろにおいて、固形燃料の燃焼中に起こる火飛びを防ぐことができるようにした安全な、アルコール固形燃料用のこんろを提供すること。【解決手段】植木鉢にほぼ似た形状の有底本体１０からなり、その周壁上部側面部に少なくとも１つの切欠き開口部１２が設けられ、その開口部を網１４で覆い、燃料の火飛びを封止するようにした。【選択図】図１
2006029594.tif 000002
【特許請求の範囲】
【請求項１】
植木鉢にほぼ似た形状の有底本体からなり、その周壁上部側面部に少なくとも１つの切欠き開口部が設けられ、その開口部を網で覆い、燃料の火飛びを封止するようにしたことを特徴とする、アルコール固形燃料用のこんろ。
【請求項２】
網の目開き率が４０%以上でかつ目開きが４ｍｍ以下であることを特徴とする、請求項１に記載のアルコール固形燃料用のこんろ。
【請求項３】
開口部を覆った網が暖簾式に取り付けられ、その下部垂れ幕部を操作して点火用ライターの火口筒先を突っ込み可能であることを特徴とする、請求項１又は２に記載のアルコール固形燃料用のこんろ。
【請求項４】
開口部を覆った網がスライドにより左右又は上下に一部移動して開口するようにした手段を具備していることを特徴とする、請求項１又は２に記載のアルコール固形燃料用のこんろ。
【請求項５】
周壁上部側面部内周面に環状網が脱着可能に内嵌合されていることを特徴とする、請求項１又は２に記載のアルコール固形燃料用のこんろ。
【発明の詳細な説明】
【技術分野】
【０００１】
本発明は、アルコール固形燃料用のこんろに関し、詳しくはアルコールを主原料にした固形燃料をこんろ内に用いて、食材を加熱させ料理するこんろに関し、とくに植木鉢にほぼ似た形状の有底本体からなり、その周壁上部側面部に少なくとも１つの切欠き開口部が設けられたアルコール固形燃料用のこんろの改良に関する。
【背景技術】
【０００２】
料理屋、レストランなどで簡易に用いられる、調理用簡易固形燃料は一般にアルコールを主原料としており、固形燃料をこんろ底面に直置きして使用している。このようなこんろは一般に植木鉢にほぼ似た本体からなり、図６に示すように２つの型式が知られている。１つはこの図の下方に示すように敷板３０’上のこんろ本体２０の周壁下部側面部に切欠き開口部２２があってこの低い位置の開口部を介して点火用ライターの火口筒先を挿入して点火が行われるものであり、もう１つはこの図の上方に示すように、周壁上部側面部に切欠き開口部１２があり、上方よりライターの筒先を挿入できるものである。
【０００３】
前者の型式は、固形燃料の燃焼中に起こる火飛びを防ぎ、安全であるが、上記したように点火に関し使い勝手が悪い。後者の型式のものはライターの使い勝手がよく、また空気の流入口が広く、燃料の燃焼がスムーズであるため、多くのユーザに好まれ、主流になっている。しかしながら、この型式のものは、固形燃料の燃焼中に起こる火飛びにより、直接衣服やテーブルクロスなどに火が移るなど問題を抱えている。なお、火飛びは極く稀れに固形燃料の燃焼中に一部がはぜて火の付いたままこんろ外に飛び散る現象であり、これは固形燃料自体の組成物などの改良ではいまのところ解決されていない。
【発明の開示】
【発明が解決しようとする課題】
【０００４】
本発明の課題は、植木鉢にほぼ似た形状の有底本体からなり、その周壁上部側面部に少なくとも１つの切欠き開口部が設けられた型式のこんろにおいて、固形燃料の火飛びを防ぐようにした安全な、アルコール固形燃料用のこんろを提供することである。
【課題を解決するための手段】
【０００５】
前記した課題は、植木鉢にほぼ似た形状の有底本体からなり、その周壁上部側面部に少なくとも１つの切欠き開口部が設けられ、その開口部を網で覆い、燃料の火飛びを封止するようにして、解決される。
【発明の効果】
【０００６】
本発明によれば、稀れに生ずる火飛びも網の目にブロックされ、こんろ外に散逸することがないので、安全にこんろが使用され、料理づくりが楽しめる。
【発明を実施するための最良の形態】
【０００７】
植木鉢にほぼ似た形状の有底本体からなり、その周壁上部側面部に等間隔に３つのＵ状切欠き開口部を設け、その開口部を目開き率が４０%以上でかつ目開きが４ｍｍ以下である金網で覆い、燃料の火飛びを封止するように構成する。網は通常のワイヤメッシュの他にエキスパンドメタル、パンチングメタルの構成でもよい。目開きが４ｍｍ以下であるということは、網を構成している芯と芯との最も近接する距離が４ｍｍ以下であることを意味する。これにより、従来とおり、上方からライターの火口筒先が挿入可能となり、点火が容易に行われる。
【０００８】
なお、こんろの上方開口縁になべが載せられた状態でも点火を容易にするため、開口部を覆った網が暖簾式に取り付けられ、その下部垂れ幕部を操作して点火用ライターの火口筒先を突っ込み可能にする。または、側面開口部を覆った網がスライドにより一部移動するようにして、この移動による隙間を介してライターの火口筒先を挿入する。
【実施例】
【０００９】
本発明の好適な実施例は、図１から図５の図面に基づいて説明される。
図１はその１実施例を示した正面斜視図である。１０は植木鉢にほぼ似た形状の有底本体１０であり、その周壁上部側面部に等間隔に３つの切欠き開口部１２ａ、１２ｂ、１２ｃが設けられ、それぞれの開口部を金網１４ａ、１４ｂ、１４ｃで覆い、燃料の火飛びを封止するように構成する。
【００１０】
こんろ本体１０の底面上にアルコール固形燃料３０が置かれ、こんろ上方開口部を介して点火用ライター２８の火口筒先を挿入して点火が行われる。
図２は使用態様例を示しており、こんろ上に鍋３２が載せられている。このようにこんろ上方が鍋によりふさがれているため、空気流入口は側面切欠き開口部１４のみに限られ、これに覆われる金網の目開き率があまり小さすぎると固形燃料による不完全燃焼の青火が起こり、またそのために周りの人に不完全燃焼で発生したガスが原因による目の痛みを引き起こす。そこで、目開き率を種々変えた金網を使ってテストを行った。
【００１１】
その結果によれば、目開き率４０％、５０％、６０％では完全燃焼の赤火で目の痛みを引き起こすことがなかった。目開き率３５％、３０％では不完全燃焼の青火で目の痛みが生じたので、網の目開き率が４０%以上であることが求められる。目開きが４ｍｍを超えると、目が粗すぎて火飛びのブロック効果がないと判った。
【００１２】
なお、図１のようにこんろ上に鍋がまだ載せられていない状態で点火する場合には、ライター２８の筒先はこんろ上方開口により挿入可能で問題がない。他方、例えばレストランなどで団体客を迎える場合に、図２のように鍋３２が載せられた状態で点火が求められることがよくある。このために、金網１４を暖簾式に取り付けるとよい。その下部垂れ幕部を引き上げて、片手でライターの火口筒先を突っ込んで点火させることができ、従来と同じ作業性が得られる。または、下部垂れ幕部を押し勝手に弾発的にへこませてそこをライターの筒先挿入口としてもよい。
さらに、図３のように切欠き開口部１２を覆っている金網１４を左右どちらかにスライドさせるよう内部にレール、ばねなどを設けて、引き戸式、シャッター式で覆いを一部除き、そこにライターの筒先を挿入させればよい。図４はスライドが上下に行われる態様例を示している。
【００１３】
さらに別の実施例として、図５に環状網２４が例示されている。この環状網２４をこんろ本体１０の周壁上部側面部内周面に内嵌合させて、切り欠き開口部１２を網で覆い、燃料の火飛びを封止する。図示しないが、この環状網２４の上部周縁の適当箇所に引っ掛け留め部を設けて脱着可能にすると使い勝手がよい。
これにより、既に使われているこんろ（例えば図６のこんろ１０）に後付けすることができ、安全性を向上することができる。また金網はこんろに密着する形状で装着できることか好ましい。こうすると積み重ね時の当たりがないため、従来のこんろと同じように積み重ねて保管でき、使用の都度装着する手間が不要となる。
なお、全面を網で構成することなく、こんろの切り欠き開口部１２の部分だけ網で構成してもよい。
【図面の簡単な説明】
【００１４】
【図１】１実施例を示した正面斜視図。
【図２】鍋を載せた使用態様例示図。
【図３】切欠き開口部を覆う金網の左右スライド例示図。
【図４】切欠き開口部を覆う金網の上下スライド例示図。
【図５】こんろの内周面に内嵌合される環状網の例示図。
【図６】公知例として２つの型式によるこんろの例示図。
【符号の説明】
【００１５】
１０    こんろ本体                  １２    上部切欠き開口部
１４    金網
２０    こんろ本体                  ２２    下部切欠き開口部
２４    環状網                      ２８    点火用ライター
３０    固形燃料
【図１】
2006029594.tif 000003
【図２】
2006029594.tif 000004
【図３】
2006029594.tif 000005
【図４】
2006029594.tif 000006
【図５】
2006029594.tif 000007
【図６】
2006029594.tif 000008